(57)【要約】【課　題】電車の中で、新聞紙を他人に差し障りなく、容易に、素早く、美しく小さく折り畳み、読みやすくする、新聞紙折り畳み用型。【解決手段】二枚の型板、型ａ（１）と、型ｂ（２）の下端を、回動可能に連結し、型ａ（１）の下部外面に、押え具ａ（３）を、型ｂ（２）の下部外面に、押え具ｂ（４）を設けてなる新聞紙折り畳み用型。【選択図】　　　図１
2004001905.tif 000002
【特許請求の範囲】
【請求項１】
二枚の型板、型ａ（１）と型ｂ（２）の下端を、回動可能に連結し、型ａ（１）の下部外面に、押え具ａ（３）を，型ｂ（２）の下部外面に、押え具ｂ（４）を設けてなる新聞紙折り畳み用型。
【発明の詳細な説明】
【０００１】
【発明の属する技術分野】
この発明は、主として電車中において、新聞紙を他人に差し障りなく、容易に、すばやく、美しく小さく折り畳み、読む事を可能にする発明に関する。
【０００２】
【従来の技術】電車の中での最大の読み物の一つとして新聞がある。しかし新聞紙の大きさは、広げるとＡ１番の大きさ８２０ｍｍ×５４２ｍｍに成る。しかも、どこも綴じられてない。狭い場所で新聞を読むには、一面の半折りの幅が、横方向には、最適であろう。まず、第一面を読むときは、問題ない。しかし、二面以降を読むときに、本来の折り目と逆に折り畳まなければならず、簡単では無い。何処も綴られて無いために、腰の弱い新聞紙は無理に裏返すと、ずれてしまい、端正に折ることは、至難なことであった。まして車内にエアーコンデショナーの風がある時は風に煽られて、折り畳み不可能と成る事もある。簡単に折れないため、折り目を作ろうとして、紙をたたいたりして、その音が隣人には、ザワザワと耳障りである。折り畳みが間に合わず、下車駅で、新聞を鷲掴みにして下車する人を見る事もある。
これを解決する器具はいまだ無い。
【０００３】
【発明が解決しようとする課題】
新聞の一面を、縦方向に半折り、つまり２１０ｍｍ幅に容易に折る事が出来、裏返しでも、早く端正におれること。
何処のぺーじでもめくれる事。
本発明は以上の目的の為に成された。
【０００４】
【課題を解決するための手段】
型ａ（１）と型ｂ（２）の下端を、互いに回動可能に連結し、型ａ（１）の下部外面に、押え具ａ（３）を、型ｂ（２）の下部外面に、押え具ｂ（４）を設けて成る、新聞紙折り畳み用型である。
【０００５】
【発明の実施の形態】
型ａ（１）と型ｂ（２）の下端を、互いに回動可能に連結し、型ａ（１）の下部外面に、押え具ａ（３）を、型ｂ（２）の下部外面に、押え具ｂ（４）を設けて成る。
押え具ａ（１）はその下端線（２２）を底として上方に折り曲げられて、開口部（２３）、（２４）を形成して成る。材質が硬ければこのままで、押え具ａ（３）、押え具ｂ（４）を形成する。材質が軟らかい場合は、押え具ａ（３）及び押え具ｂ（４）が、垂れ下がってしまうので、新聞の端部を押さえる場合、指で押さえて使用出来ないことはないが、押さえ具ａ（３）、押え具ｂ（４）の前端を閉じることにより、開口部（２３）、（２４）を設けて、押え具ａ（３）、及び押え具ｂ（４）を形成する。閉じ部（２８）で閉じる手段は、接着、粘着、面シール使用など手段を問わない。
以上の様にして成る、型ａ（１）と、型ｂ（２）を、下端線（２２）を合わせる様にして、蝶番（７）で連結する。蝶番（７）は、布や軟質プラスチックフイルム等で良い。連結手段は、接着、粘着、問わない。連結出来れば良い。もちろん、市販の小型の蝶番でも良い。
【０００６】
図９、図１０において他の実施例を説明する。
型ａ（１）と型ｂ（２）が軟質プラスチックなどの、屈曲自由な材質である場合は、型ａ（１）と型ｂ（２）を一体にして、中央で折り曲げて下端線（３４）とする。
型ａ（１）と型ｂ（２）の内側に、二つのポケット（２５）、（２５）を、ポケット入口（２６）、（２６）を向かい合わせて設ける。
型ａ（１）と型ｂ（２）の外側に、下端線（３４）にほぼ平行に切りこみを入れてから下へ切り下げＬ字形の開口部（２３）と（２４）を作る事により、押え具ａ（３）を設けることが出来る。下端線（３４）で型ａ（１）と型ｂ（２）を折り曲げて、該記、Ｌ字形の開口部（２３）と（２４）と対象の位置に、同様に開口部を作り、押え具をもうける。型ａ（１）と型ｂ（２）が、必要程度の剛性を有するなら、このまま使用して良いが、剛性が不足の場合は、ポケット（２５）の中に補強板（２７）を設置して補強する。補強板（２７）は、ボール紙などの剛性の有るものを使用する。
【０００７】
又、型ａ（１）には、上部に摘み（５）、切り欠き（８）、切り欠き（１０）が、型ｂ（２）には、摘み（６）、切り欠き（９）、切り欠き（１１）が、設けてある。
摘み（５）の変わりに、穴（３２）を設け、この穴（３２）にリボン（３３）を設けてもよい。
本発明は、以上のような構成よりなっている。
【０００８】
本発明を使用する場合、新聞の第一面を読むときは、問題無い。
さて、二面を読むために折る場合を説明する。新聞を背の方から、型ａ（１）と型ｂ（２）の間に挟みこむ。この二枚の型ａ（１）、型ｂ（２）の大きさはＡ４サイズであるので、新聞を、二枚の型の奥までぴったりと入れ、型ａ（１）の上縁（２０）と、新聞（１４）の上縁（２１）を、合わせるようにすると、型ａ（１）の縦の縁（１２）が、新聞一面の横幅の１／２の位置に来る。
以上のように、二枚の型ａ（１）と型ｂ（２）で、新聞をしっかり挟み、新聞の一面を、型ａ（１）の縁（１２）に沿って裏返して折るのである。そうすると新聞二面（１７）の外側がが一番上に現れる。一般紙なら社説の部分である。
残りの第三面以下の紙面は、型ｂ（２）の縁（１３）に沿って反対側に折るのである。其の結果新聞（１４）の幅は、全体が、一面横幅の半分に成る。
折った後、新聞二面の縁（２９）を押え具ａ（３）の開口部（２３）、（２４）から挿入して、押え具（３）で押える。同様にして、残りの第三面以下の紙面は、押え具ｂ（４）で押える。
【０００９】
次に第二面の内側を、読む場合、折り目（１６）を、本の頁をめくる様に、めくれば良い。第二面の裏側、つまり一面の中に、型ａ（１）があるので、腰も折れず、容易にめくれる。
之で、新聞ニ面（１７）の内側と、新聞三面（１８）の内側が読める。
新聞三面（１８）の外側を読む場合は、三面以下の折り目（３１）を本の頁をめくるように、右にめくると、新聞三面（１８）が上に来る。
尚、押え具ａ（３），押え具ｂ（４）が、塩化ビニールのように透明な材料の場合は、そのまま読めるが、不透明な場合は其の頁を、押え具ａ（３）、（４）から引き抜く必要がある。
同様にして他の頁も読むことが出来る。
【００１０】
尚、途中で本発明を外す必要が生じたとき、摘み（５）を摘んで、巻きつい新聞から引き抜く為のものである。この時、新聞は形を崩さず、残さなければならないが、切り欠き（１０）、（１１）の部分を、新聞の上から手探りで探し、押さえることが出来る。型ａ（１）、型ｂ（２）の近くを押さえたほうがよい。
切り欠き（８）、（９）は、横方向に、抜く場合に使用する。
又、摘み（５）の代わりに、穴（３２）を設けリボン（３３）を結んでおけば、このリボンを引っ張る事により、本発明を引き抜く事が出来る。
【００１１】
【発明の効果】
本発明を使用する事により、電車の中でも、小さく、素早く、容易く、端正に新聞を折ることができ、安心して読むことが出来る。
【００１２】
【図面の簡単な説明】
【図１】本発明の斜視図
【図２】本発明の分解斜視図
【図３】本発明の使用状態を示す、斜視図
【図４】本発明の使用状態を示す、斜視図
【図５】本発明の使用状態を示す、斜視図
【図６】本発明の使用状態を示す、斜視図
【図７】本発明の使用状態を示す、斜視図
【図８】本発明の使用状態を示す、斜視図
【図９】本発明の他の実施例を示す斜視図
【図１０】本発明の他の実施例を示す分解斜視図
【符号の説明】
１　型ａ
２　型ｂ
３　押え具ａ
４　押え具ｂ
５　摘み
６　摘み
７　蝶番
８　切り欠き
９　切り欠き
１０　切り欠き
１１　切り欠き
１２　縁
１３　縁
１４　新聞
１５　新聞一面
１６　折り目
１７　新聞二面
１８　新聞三面
１９　新聞最終面
２０　上縁
２１　上縁
２２　下端線
２３　開口部
２４　開口部
２５　ポケット
２６　ポケット入り口
２７　補強板
２８　閉じ部
２９　縁
３０　縁
３１　折り目
３２　穴
３３　リボン
３４　下端線
【図１】
2004001905.tif 000003
【図２】
2004001905.tif 000004
【図３】
2004001905.tif 000005
【図４】
2004001905.tif 000006
【図５】
2004001905.tif 000007
【図６】
2004001905.tif 000008
【図７】
2004001905.tif 000009
【図８】
2004001905.tif 000010
【図９】
2004001905.tif 000011
【図１０】
2004001905.tif 000012